(57)【特許請求の範囲】
【請求項１】
スイッチの外面の円周部にネジ山と前記スイッチの外面の垂直部にキー溝を備えており、前記ネジ山と嵌着する内面に形成される嵌着突起を有する締付突起と前記キー溝に嵌着する内面に形成される回転止め突起と外面の垂直方向に形成される実装誘導溝とを設けた固定具と、内面に形成される誘導突起と円周方向へ隆起するテーパー面が形成される締付溝とを設けた、前記固定具を前記スイッチに着脱させる締付具からなり、前記固定具と前記締付具を前記実装誘導溝を介して遊嵌して前記締付具を操作する、１ユニット構成としたことを特徴とするパネルへのスイッチ取付具。
【請求項２】
請求項１記載のパネルへのスイッチ取付具において、前記締付具の回転操作に伴い、前記締付具に設けた隆起するテーパー面が形成される締付溝が前記固定具に設けた締付突起を前記スイッチに適正な押圧力で締付け、前記固定具の回転誘導溝の端部にストッパを設けることで、その押圧力を一定に保つことができることを特徴とするパネルへのスイッチ取付具。
【請求項３】
請求項１又は２記載のパネルへのスイッチ取付具において、前記締付具の回転によりパネルへ前記スイッチを取り付け、前記締付具の回転によりパネルから前記スイッチを取り外すことを特徴とするパネルへのスイッチ取付具。
【発明の詳細な説明】
【技術分野】
【０００１】
本発明は、パネルにスイッチを取付けるスイッチ取付具に係り、固定具と締付具との１ユニットで構成し、パネルへのスイッチの取付け及び取外しを容易に行なうことができるスイッチ取付具に関するものである。
【背景技術】
【０００２】
従来のパネルへのスイッチ取付方法は、スイッチに樹脂バネを設けパネル前面から嵌め込むものや、スイッチにネジ山を設けナットで締め付けるものが一般的であった。
【０００３】
また、リング状取付け固定用部材を回動させることでスイッチの取付け及び取外しを行なうものも提案されている。（下記特許文献１参照）
【特許文献１】実開平６−４８７１号公報
【発明の開示】
【発明が解決しようとする課題】
【０００４】
しかしながら、固定具としてスイッチに樹脂バネを設けたものは、スイッチの取付け及び取外しは容易であるが、がたつくことがある。また、ナットで締め付けるものは強固に固定できるが、特別な工具が必要であるとともに締付トルクを管理する必要があった。さらに、リング状取付け固定用部材の回動によりスイッチの取付け及び取外しを行なうものは、スイッチにリング状取付け固定用部材に対応した機構を設ける必要があり、従来のネジ山を設けたスイッチに使用することができなかった。
【０００５】
そこで、本発明は、取り付けが確実でがたつかず、しかもスイッチの取付け及び取外しが容易であるパネルへのスイッチ取付具を提供することを目的とする。
【課題を解決するための手段】
【０００６】
本発明は、上記目的を達成するため、
〔１〕パネルへのスイッチ取付具において、スイッチの外面の円周部にネジ山と前記スイッチの外面の垂直部にキー溝を備えており、前記ネジ山と嵌着する内面に形成される嵌着突起を有する締付突起と前記キー溝に嵌着する内面に形成される回転止め突起と外面の垂直方向に形成される実装誘導溝とを設けた固定具と、内面に形成される誘導突起と円周方向へ隆起するテーパー面が形成される締付溝とを設けた、前記固定具を前記スイッチに着脱させる締付具からなり、前記固定具と前記締付具を前記実装誘導溝を介して遊嵌して前記締付具を操作する、１ユニット構成としたことを特徴とする。
【０００７】
〔２〕上記〔１〕記載のパネルへのスイッチ取付具において、前記締付具の回転操作に伴い、前記締付具に設けた隆起するテーパー面が形成される締付溝が前記固定具に設けた締付突起を前記スイッチに適正な押圧力で締付け、前記固定具の回転誘導溝の端部にストッパを設けることで、その押圧力を一定に保つことができることを特徴とする。
【０００８】
〔３〕上記〔１〕又は〔２〕記載のパネルへのスイッチ取付具において、前記締付具の回転によりパネルへ前記スイッチを取り付け、前記締付具の回転によりパネルから前記スイッチを取り外すことを特徴とする。
【発明の効果】
【０００９】
本発明によれば、以下のような効果を奏することができる。
（１）固定具と締付具との二部品で構成されるが、遊嵌することで１ユニットとなり、取り付けが確実でがたつかず、しかもパネルに対してスイッチの取付け及び取外しをワンタッチで容易に行うことができる。
（２）パネルに対するスイッチの取付け及び取外しに特別な工具を必要としない。
（３）パネルに対するスイッチの取付け時の締付トルク管理が不要である。
（４）パネルに対するスイッチの取付け及び取外しが容易であるにもかかわらず、パネルへスイッチを強固に固定できる。
（５）従来のスイッチにネジ山を設けたナット取付けタイプのスイッチに適用することができ、従来のスイッチの形状を変更する必要がない。
【発明を実施するための最良の形態】
【００１０】
本発明のパネルへのスイッチ取付具は、スイッチの外面の円周部にネジ山と前記スイッチの外面の垂直部にキー溝を備えており、前記ネジ山と嵌着する内面に形成される嵌着突起を有する締付突起と前記キー溝に嵌着する内面に形成される回転止め突起と外面の垂直方向に形成される実装誘導溝とを設けた固定具と、内面に形成される誘導突起と円周方向へ隆起するテーパー面が形成される締付溝とを設けた、前記固定具を前記スイッチに着脱させる締付具からなり、前記固定具と前記締付具を前記実装誘導溝を介して遊嵌して前記締付具を操作する、１ユニット構成とした。
【実施例】
【００１１】
以下、本発明の実施の形態について詳細に説明する。
【００１２】
図１は本発明の第１実施例を示すスイッチ取付具の分解斜視図、図２はそのスイッチ取付具を構成する固定具を示す図であり、図２（ａ）は正面図、図２（ｂ）は平面図、図２（ｃ）は底面図、図２（ｄ）は図２（ｂ）のＡ−Ａ線断面図である。図３はそのスイッチ取付具を構成する締付具を示す図であり、図３（ａ）は正面図、図３（ｂ）は平面図、図３（ｃ）は底面図、図３（ｄ）は図３（ｂ）のＢ−Ｂ線断面図である。図４は本発明の第１実施例を示すスイッチ取付具の固定具と締付具の実装状態の斜視図、図５は本発明の第１実施例を示すスイッチ取付具によりパネルに取り付けられたスイッチの断面図、図６はそのスイッチ取付具の締付操作時の説明図であり、図６（ａ）は締付操作前の状態を、図６（ｂ）は締付操作途中の状態を、図６（ｃ）は締付操作後（取付け完了時）の状態を示している。
【００１３】
図１から図６において、固定具１の内周面には、パネル４に取り付けられるスイッチ３のネジ山３ａと嵌着する嵌着突起１ｂを設けた締付突起１ａと、締付時の回転を防止する回転止め突起１ｃが形成されている。また、固定具１の外周面には、固定具１と締付具２を実装するための垂直方向に形成された実装誘導溝１ｄと、締付具２の回転を誘導するための円周方向に形成された回転誘導溝１ｅが備えられ、この回転誘導溝１ｅの端部に締付時に締付具２を係止するストッパ１ｆとが形成されている。
【００１４】
締付具２には固定具１と遊嵌するとともに締付時に締付具２を係止するための誘導突起２ａと、締付突起１ａを締め付けるための円周方向に隆起しているテーパー面２ｃが形成される締付溝２ｂが形成されている。
【００１５】
このように構成することにより、固定具１の実装誘導溝１ｄを締付具２の誘導突起２ａが摺動して回転誘導溝１ｅに遊嵌され、本発明のスイッチ取付具が組み付けられる。
【００１６】
以上のように構成された本発明のスイッチ取付具は、パネル４に設けられた孔４ｃにスイッチ３をパネル前面４ａから挿入し、スイッチ取付具をパネル背面４ｂからスイッチ３のキー溝３ｂに回転止め突起１ｃを係合させるように嵌め込み、パネル背面４ｂに押し当て回転することで固定具１の嵌着突起１ｂがスイッチ３のネジ山３ａに嵌着し、誘導突起２ａがストッパ１ｆを乗り越え係合することで締付具２が固定具１に係止され取り付けられる。このとき、図６に示すように、固定具１は回転止め突起１ｃとキー溝３ｂの係合により回転しない構造になっており、締付具２のみが回転することで、図６（ａ）に示す締付操作前の状態から、図６（ｂ）に示すように、締付溝２ｂのテーパー面２ｃに沿って締付突起１ａがスイッチ３の方向へ徐々に押圧され、図５（ｃ）に示すように締付突起１ａがネジ山３ａに締め付けられる。
【００１７】
一方、締付具２を逆回転すると、締付突起１ａが締付溝２ｂのテーパー面２ｃから開放され、嵌着突起１ｂのスイッチ３に対する押圧力が緩み、スイッチ取付具を引き抜くことでパネル４からスイッチ３を取外すことができる。
【００１８】
このように、本実施例に示すスイッチ取付具は、固定具１と締付具２の１ユニットで構成され、押し込み後に回転することでスイッチ３をパネル４に取付けができる。一方、締付具２を逆回転することでスイッチ３をパネル４から取外しができるという特徴を有している。
【００１９】
さらに、固定具１の締付突起１ａと締付具２のテーパー面２ｃを有する締付溝２ｂにより、適正な押圧力でスイッチ３をパネル４へ取付けることができ、回転誘導溝１ｅの端部にストッパ１ｆを設けることで、その押圧力を保持することができるという特徴を有している。
【００２０】
図７は本発明の第２実施例を示す締付具の下面に指掛け突起を設けたスイッチ取付具の斜視図である。
【００２１】
このように、締付具２の下面に指掛け突起２ｄを設けたことにより、スイッチ取付具の側面に指が入らないような狭い場所でも、指掛け突起２ｄを操作することにより、スイッチ３の取付け又は取り外しを容易に行うことができる。
【００２２】
図８は本発明の第３実施例を示す締付具の上面に緩み防止突起を設けたスイッチ取付具の斜視図である。
【００２３】
このように、締付具２の上面に緩み防止突起２ｅを設けたことにより、スイッチ３の取付け時に緩み防止突起２ｅがパネル背面４ｂに押し当てられると、緩み防止突起２ｅの先端部が押し潰され、その反発力によりパネル面と逆方向へ押圧力がかかる。そのため締付突起１ａに形成された嵌着突起１ｂがより強固にスイッチ３のネジ山３ａに嵌着し、スイッチ取付具の緩みを防止することができる。
【００２４】
なお、本発明は上記実施例に限定されるものではなく、本発明の趣旨に基づき種々の変形が可能であり、これらを本発明の範囲から排除するものではない。
【産業上の利用可能性】
【００２５】
本発明のスイッチ取付具は、押し込み後に回転させることにより特別な工具を使用せずに取付け及び取外しを行なうことができるパネルへのスイッチ取付具として利用可能である。
【図面の簡単な説明】
【００２６】
【図１】本発明の第１実施例を示すスイッチ取付具の分解斜視図である。
【図２】本発明の第１実施例を示すスイッチ取付具を構成する固定具を示す図である。
【図３】本発明の第１実施例を示すスイッチ取付具を構成する締付具を示す図である。
【図４】本発明の第１実施例を示すスイッチ取付具の固定具と締付具の実装状態の斜視図である。
【図５】本発明の第１実施例を示すスイッチ取付具によりパネルに取り付けられたスイッチの断面図である。
【図６】本発明の第１実施例を示すスイッチ取付具の締付操作時の説明図である。
【図７】本発明の第２実施例を示す締付具の下面に指掛け突起を設けたスイッチ取付具の斜視図である。
【図８】本発明の第３実施例を示す締付具の上面に緩み防止突起を設けたスイッチ取付具の斜視図である。
【符号の説明】
【００２７】
１    固定具
１ａ    締付突起
１ｂ    嵌着突起
１ｃ    回転止め突起
１ｄ    実装誘導溝
１ｅ    回転誘導溝
１ｆ    ストッパ
２    締付具
２ａ    誘導突起
２ｂ    締付溝
２ｃ    テーパー面
２ｄ    指掛け突起
２ｅ    緩み防止突起
３    スイッチ
３ａ    ネジ山
３ｂ    キー溝
４    パネル
４ａ    パネル前面
４ｂ    パネル背面
４ｃ    孔
【図１】
0004955494.tif 000002
【図２】
0004955494.tif 000003
【図３】
0004955494.tif 000004
【図４】
0004955494.tif 000005
【図５】
0004955494.tif 000006
【図６】
0004955494.tif 000007
【図７】
0004955494.tif 000008
【図８】
0004955494.tif 000009